(57)【要約】【課題】  額縁包布のように特殊な構造を有する布類であっても、確実かつ容易に整姿状態とすることができる、布類投入装置における整形装置を提供する。【解決手段】  洗濯、乾燥済みの布類を拡げ、整姿状態として投入コンベアに投入する布類投入装置において、前部は投入コンベア３０に投入されているが、未だ投入コンベア３０に到達していない布類Ｗの正面側に接触することにより、布類Ｗに生じている垂れ皺Ｘを取り除くための整形体３１、３２を具備し、移動機構３３、３４を投入部の正面部から左右へ移動可能に設けるとともに、移動機構３３、３４の移動部３８に整形体３１、３２を取り付け、さらに布類Ｗに接触可能な作業位置と、布類Ｗに接触することなく通過させる退避位置を整形体３１、３２が取り得るように位置切り換え部３９、４０を設ける。【選択図】          図８
2005312478.tif 000002
【特許請求の範囲】
【請求項１】
洗濯、乾燥済みの布類を拡げ整姿状態として投入コンベアに投入する布類投入装置において、前部は投入コンベアに投入されているが、未だ投入コンベアに到達していない布類の正面側に接触することにより、布類に生じている垂れ皺を取り除くための整形体を具備し、移動機構を投入部の正面部から左右へ移動可能に設けるとともに、移動機構の移動部に整形体を取り付け、さらに布類に接触可能な作業位置と、布類に接触することなく通過させる退避位置を整形体が取り得るように位置切り換え部を設けたことを特徴とする布類投入装置における整形装置。
【請求項２】
布類を整形体が押す力を受け止めるために、布類の裏面に接触するとともに、裏面に吸着可能とするための吸引穴を有する、ベルト状部を投入部直前の正面の左右方向に配置した構成を持つ受け止め部を有している請求項１記載の布類投入装置における整形装置。
【請求項３】
表裏２重構造を有する布類の裏面側に接触して、左右方向へ移動する修正手段を投入部直前の正面に具備しており、修正手段として、拡げベルトを左右一対設けた構成を有している請求項１記載の布類投入装置における整形装置。
【請求項４】
拡げベルトは吸引穴を有しており、布類の裏面に吸着可能とした、受け止め部としてのベルト状部を兼ねている請求項２又は３記載の布類投入装置における整形装置。
【請求項５】
整形体は、投入部の正面部から左右側方へ移動機構により移動可能に設けられ、移動機構は布類を投入位置へ配置するためと、布類の目的箇所にて整形体を左右に押し動かすための二つの機能を有している請求項１記載の布類投入装置における整形装置。
【発明の詳細な説明】
【技術分野】
【０００１】
本発明は、洗濯、乾燥済みの布類を拡げ整姿状態として投入コンベアに投入する布類投入装置における装置に関するものである。
【背景技術】
【０００２】
依頼先のホテルや旅館或いは病院等の施設から、使用された布類を回収して洗濯し、折り畳んで配達するサービスにおいて、布類を皺等のない状態で納品することは重要な要素である。布類の中でも、額縁包布と呼ばれる額縁状の形態を持つものはふとんカバーに使用されており、額縁の内側の枠に相当する内縁が何物にも支えられていないため内縁よりも下部は垂れ下がって皺が寄るという問題を生じやすい（図１参照）。従来は手作業によって左右に引っ張り緊張させていたが、そのために２名の作業者の手が塞がってしまうという不都合がある。
【０００３】
布類でも、ガウン等の衣類については、マネキン型の成形機を使用する投入機が以前からあり、整姿状態を保って投入することが普通に行われている。包布でも全包布と呼ばれる包布や袋状構造を有するものは比較的容易に整姿状態を得やすいが、額縁包布の場合、縁が垂れて皺になっているので微妙な修正が必要であり、人手に頼るほかなかったものである。
【０００４】
【特許文献１】特開平１１−１９２４００号
【発明の開示】
【発明が解決しようとする課題】
【０００５】
本発明は前記の点に着目してなされたもので、その課題は、額縁包布のように特殊な構造を有する布類であっても、確実かつ容易に整姿状態とすることができる、布類投入装置における整形装置を提供することである。また本発明の他の課題は、布類を投入装置にセットした後は人手を必要とせずに整姿状態を得て布類の投入が行われるようにすることである。
【課題を解決するための手段】
【０００６】
前記の課題を解決するため、本発明は、洗濯、乾燥済みの布類を拡げ整姿状態として投入コンベアに投入する布類投入装置において、前部は投入コンベアに投入されているが、未だ投入コンベアに到達していない布類の正面側に接触することにより、布類に生じている垂れ皺を取り除くための整形体を具備し、移動機構を投入部の正面部から左右へ移動可能に設けるとともに、移動機構の移動部に整形体を取り付け、さらに布類に接触可能な作業位置と、布類に接触することなく通過させる退避位置を整形体が取り得るように位置切り換え部を設けるという手段を講じたものである。
【０００７】
布類投入装置は、取り付け部にて布類の両端をクランプに取り付けると、そのクランプが移動して布類を運び、投入部正面の投入位置へ正確に配置し、投入位置からは、布類の前部を投入コンベア上への誘導装置により導いて渡す装置である。布類を取り付けるクランプは、布類を投入部正面の投入位置へ配置するクランプとは別であっても或いは同じであってもどちらでも良いが、別の場合には途中クランプ間にて布類の受け渡しが行われ
る。このような技術に関しては、例えば特開平１１−１９２４００号及びその後続技術である特願２００２-２５５５０４号等に記載されているものを適用することできる。布類は、前部から誘導装置により投入コンベアに投入され、投入コンベアの作動にしたがって後部まで投入コンベアに上に乗り移り、投入工程を終える。
【０００８】
しかしながら、額縁包布の後部のように、額縁部下部の内縁が垂れて皺になっているような微妙な状態にあるものについては、特殊な整形が必要であり、本発明では垂れ皺を取り除くために整形体を具備する。整形体は、後部の布類の正面側の目的箇所に接触し、垂れ皺を取り除くために最も効果的な目的箇所にて左右方向へ緊張させることによって、垂れた部分を引っ張り、皺をなくすものである。
【０００９】
整形体は、投入部の正面中央部から左右側方へ移動機構により移動可能に設けられる。移動機構は整形体を投入部中央側から左右側方へ移動させるための、移動部を有するが、具体的構成については任意に選択することができる。例えばプーリーとベルトやチェーンとスプロケットホイール、或いはピストンシリンダー装置、モーターを使用する公知の往復動機構などは本発明の移動機構として適用可能である。移動機構は、布類を投入位置へ配置するためと、布類の目的箇所にて左右に整形体を押し動かすための、二つの目的を有する。しかし、整形体は布類に接触して押すだけで良い場合もあり、常に動かす訳ではない。
【００１０】
整形体は、布類に適度の摩擦によって接触することができる手段として、例えばブラシ状、スポンジ状その他の部材を有している。また整形体が布類を押す力を受け止める受け止め部が、投入部正面の適当な箇所に設けられている。受け止め部は新たに設置しても良いし、既存のものを使用しても良い。受け止め部として、布類の裏面に接触するととも
に、裏面に吸着可能とするための吸引穴を有する、ベルト状部を投入部正面の左右方向に配置することができる。この場合、吸引手段により布類を裏面にて仮に固定することとなるので、包布類のように表裏２重構造を有する場合、変形のない裏面を吸引手段により固定しておくことができ、それによって布類の表面の形態も矯正され、布類の表側は目的箇所を整形体で押さえるだけで良いようになる。また、表面を整形体により押し動かして
も、そのことによって裏面まで動いてしまうということが防止される。
【００１１】
さらに、表裏２重構造を有する布類の裏面側に接触して、左右方向へ移動する修正手段を具備することは望ましいことである。修正手段は、例えば投入部直前の正面に、拡げベルトを左右一対設けることによって構成することができる。拡げベルトは、包布その他の布類の裏面側における皺除き手段或いは変形修正手段であるということができ、左右へ移動する修正部によって布類を中央から左右側方へ拡げるように作動し、皺やめくれその他の変形を修正するものである。
【００１２】
このように、吸引による布類の固定手段であり、皺除き手段或いは変形修正手段でもある拡げベルトは、さらに前記の受け止め部としてのベルト状部を兼ねる。移動機構として例示したプーリーとベルトの中のベルトと、ベルト状部とは別の概念である。つまり本発明におけるベルト状部とは、チェーン類も該当するとともに、整形体による布類の押し付けを受け止めるもので文字通りのベルトの他、ベルト状と認められる物の全てを含み、その内、ベルトのように細長い構造によって整形体の移動を可能にしているものである。
【００１３】
整形体は、布類を正面から押す機能を有するので、投入装置本体の受け止め部に対して比較的接近した位置に配置される。しかし、接近しすぎると布類が引っ掛かる可能性があり、それを防止するために、整形体を作業位置と退避位置とを取り得るように、位置切り換え手段を設け、それに整形体を設けている。さらに、クランプによる布類の搬送中に移動の妨げとならないように、布類から離れた位置に整形体を移動させ、整形時に、布類の目的箇所に接触可能な位置に配置し得るようにする。
【発明の効果】
【００１４】
本発明は上記のように構成されかつ作用するものであるから、布類の、未だ投入コンベアに到達していない後方部分に接触して目的箇所を押し、皺を伸ばすので、額縁包布のように特殊な構造を有する布類であっても、容易かつ確実に整姿状態を得ることができ、従って本発明により、布類を投入装置にセットした後は人手を必要とせずに整姿状態を得て投入を行なうことができる、という効果を奏する。
【発明を実施するための最良の形態】
【００１５】
以下図示の実施形態を参照しながら本発明をより詳細に説明する。図１、図２は本発明の適用対象である布類投入装置の平面図と正面図であり、正面左右に夫々布類取り付け部１０が設定されている。布類取り付け部１０には各２対の投入クランプ１１、１２、１３、１４が設けられ、これらのクランプ１１、１２、１３、１４は上方へ向かって設けられた、図３に示す渡し機構１５により上部の預け渡し部１６まで布類Ｗを移動させるとともに、拡げクランプ１７、１８、１９、２１に預け渡すための構成及び機能を有している。
【００１６】
拡げクランプ１７、１８、１９、２１は、布類投入装置の正面上部に設定されている、投入部の前に布類Ｗを展張し、投入を助けるためのものである。また拡げクランプ１７、１８、１９、２１は、装置本体正面の投入部よりもやや上位の左右に架設された拡げ機構のガイドレール２０を走行するものであり、図１、図２には拡げ機構の走行軌跡のみを、図３にはその横断面を夫々同じ符号２０で示している。図３において、２２は車輪、２３は拡げクランプ取り付けアーム、２４はその先端に設けたクランプ口であり、布類Ｗの先端部ｅ１を受け入れ、クランプにより挟んで保持する一方、投入コンベア３０への投入時点では布類Ｗの保持を解除する。
【００１７】
投入コンベア３０側の先端部は、拡げクランプ１７、１８、１９、２１に吊り下げられている布類Ｗを、受け渡しの際に、押さえフレーム２６との間で挟持するために吸引部２９が前進、後退可能に設けられている。布類Ｗが拡げクランプ１７〜２１から自然に垂れている状態において、吸引部２９が後退しているときは布類Ｗの垂れ面よりも後方にあ
り、吸引部２９が前進すると布類Ｗを垂れ面よりも前方に出て押さえフレーム２６に押し付けることができる。押さえフレーム２６は拡げクランプ１７〜２１ガイドレール２０と並行して左右に伸びている部材である。
【００１８】
本発明で取り扱う布類Ｗの１種である額縁包布は、図１に例示の如く、額縁部下部の内縁が下方へ垂れて皺になりやすい。そこで本発明では、皺を生じている額縁包布の後部を左右へ緊張させるために、左右一対の整形体３１、３２を具備する。各整形体３１、３２は、投入部直前の正面に設けられるもので、例示のものは左右に夫々設置されている移動機構３３、３４であるピストンシリンダー装置の移動部のピストン先端部に取り付けられている。
【００１９】
例示の移動機構３３、３４は、図６に詳細に示されているように、左右別々に設けられている、基板３５と同様の左右方向に延びるガイドレール３６を摺動可能なガイド３７にブラシ状の整形体３１、３２を夫々取り付け、基板３５の他端側に取り付けたシリンダー装置のピストンロッド先端部を移動部３８としてガイド３７に接続し、ピストンの伸縮によって、布類Ｗの目的箇所を左右側方へ移動可能とするように構成されている。各移動機構３３、３４は、基板３５内に完全に収納された状態まで移動して、間に布類を配置する間隔を開けるとともに、投入位置へ搬入されたあとは、布類Ｗが整形体３１、３２に引っ掛からないように、位置切り換え手段３９、４０により、作業位置と退避位置とを取り得るように設けられている。位置切り換え手段３９、４０は、夫々、移動機構３３、３４を基板３５の他端部にて取り付け相手に回転可能に取り付けた支軸部４１と、支軸部４１から突出するアーム４２と、アーム４２の先端に取り付けたピストンシリンダー装置から成る駆動部４３とを有している。駆動部４３はピストンロッド部がアーム側に接続され、シリンダー部が、支軸部４１に対して固定された関係にある部分に取り付けられている。
【００２０】
整形体３１、３２が布類Ｗの目的箇所を押す力を受け止める受け止め部として、布類Ｗの裏面に接触可能な位置に、左右に細長いベルト状部４５、４６が左右各１対設けられている。各ベルト状部４５、４６は、図７に示されているように夫々、函フレーム４７と、その左右両端に軸支されたプーリー４８、４９と、それらに掛回した拡げベルト５０を有し、拡げベルト５０には多数の吸引穴５１が開口し、函フレーム４７内を通気ダクトとする吸引手段により布類Ｗを裏面にて吸着し、仮に固定することができるようにする。拡げベルト５０は、一方のプーリー４９の軸６１に取り付けられている従動プーリー６２による入力を受けて、投入部の正面中央側から夫々左方又は右方へ一方向回転するように設けられている。６３は駆動プーリーで、従動プーリー６２と伝道ベルト６４により連繋しており、モーター６５の出力軸６６の回転によって回転する。
【００２１】
例示の吸引手段は、上記真空吸引作用の有効、無効を制御するダンパー装置を有している。このダンパー装置は布類Ｗの左右の幅よりもやや外側に位置する箇所にて函フレーム内に設けたダンパー用ピストンシリンダー装置５３と、そのピストン側に移動端を接続し、回転軸部５４にて函フレーム４７に取り付けたダンパー５５とを有し、ダンパー５５の軸周り回転により吸引穴５１を通じた布類Ｗの吸引作用を制御するものである。５６は函フレーム内に通じた負圧溜まり、５７はそこから外部へ伸びる吸引ホース、５８は吸引機を示す。
【００２２】
このような本発明の装置では、布類Ｗは布類取り付け部にて投入クランプ１１、１２、１３、１４に取り付けられ、その後自動的に拡げクランプ１７、１８、１９、２１に預け渡され、装置本体正面の中央部に運ばれる。この状態で布類Ｗは上端部左右にて拡げクランプ１７、１８、１９、２１により左右側方へ緊張しており、弛みなどはないが、下端部の額縁部下部の内縁よりも下端部は垂れて皺Ｘとなっている（図８）。そこで本装置を起動すると、それまで布類Ｗから左右側方へ離れ、かつ布類Ｗの通過を邪魔しない退避位置にあった整形体３１、３２が、切り換え手段３９、４０により作業位置へ切り換わり、布類Ｗの額縁部内縁よりもやや下、かつ左右内側縁よりもやや外に寄った目的箇所を受け止め部に押し付ける（図９Ａ）。それと同時に、受け止め部においては吸引手段による布類裏面に対する吸引作用が行われており、布類Ｗを弱く固定し、変形のない状態とするの
で、額縁部下部の皺Ｘも自然に消失する。しかし、それでも皺Ｘが消えない場合には移動機構３３、３４を作動させる。その結果、整形体３１、３２は移動機構３３、３４により左右側方へ移動し、この整形体３１、３２による押し付け移動により、布類Ｗは内縁よりやや下位置で左右に緊張し、ほぼ直線状となり、垂れていた部分も引き上げられ、垂れ皺Ｘが解消する（図９Ｂ）。
【００２３】
上記の状態では、布類Ｗは拡げクランプ１７、１８、１９、２１により吊り下げられているだけであるので、整形体３１、３２による皺取り除き作用を受けると、布類Ｗの材質や構造その他の条件によっては裏面側に影響が出ることがある。そこで、本発明では、受け止め部としてのベルト状部４５、４６に設けられている吸引手段を起動し、布類裏面を真空吸引することができるようにされており、この吸引による布類Ｗの保持により布類Ｗは裏面において安定性が確保されることになり、このことによって、整形体３１、３２による布類Ｗに対する皺取り除き作用をより確実に達成することができる（図１０Ａ、図１０Ｂ）。
【００２４】
受け止め部の吸引手段による布類Ｗに対する吸引作用は、ダンパー装置のオンオフ操作によって有効無効を制御することができる。ダンパー装置はさらに、吸引穴５１のどの範囲に吸引力を発生させるかを選択することができるので、吸引面積を布類の幅に合わせて変化させる機能を有する。またオンオフ間の吸引力の強弱調整も可能であり、布類Ｗの材質や構造に応じた適切な吸引力を得ることができる。
【００２５】
本発明の装置は、包布、額縁包布等の布類Ｗの投入について上述の如く有効であるが、１枚布から成るシーツ類についても同様に適用することができる。布類Ｗは先端部から投入コンベア３０に進入する。なお拡げクランプ１７、１８、１９、２１に保持されている布類Ｗは、投入コンベア前端上部に前進後退可能に設けられている吸引部２９が前進して布類先端部をほぼ全幅にわたって吸着保持し、後退しながら、図外のエアノズルからのジェットを補助として投入コンベア上に渡され、投入コンベア３０の作動に伴って徐々に搬送される（図３参照）。その間、シーツ等の布類Ｗは、吸引手段により吸引保持作用を受けるとともに、拡げベルト５０、５０の左右側方への移動により、常時たて皺を左右に引き伸ばす作用を受けることになり、拡げベルト５０、５０との相乗効果でより有効な整形が行えるものとなる。図１１参照。
【図面の簡単な説明】
【００２６】
【図１】本発明に係る整形装置を適用した布類投入装置の実施例１を示す正面図。
【図２】同上の平面図。
【図３】同じく側面説明図。
【図４】図３の部分拡大図。
【図５】Ａは投入部正面の拡大図。Ｂは図５Ａに対する平面図。
【図６】Ａは整形装置要部の平面図。Ｂは図６Ａに対する正面図。
【図７】Ａは拡げベルトの正面図。Ｂは図７Ａに対する平面図。
【図８】本発明の装置の動作説明のための正面図。
【図９】Ａは整形体の動作説明のための平面図。Ｂは図９Ａに対する正面図で、布類が整形作用を受けながら投入コンベアへの投入を完了する状態のもの。
【図１０】Ａは図８、図９の作用とともに、布類に対する拡げ作用を説明する正面図。Ｂは図１０Ａに対応する平面図。
【図１１】Ａはシーツ等の布類に対する本発明装置の作用説明のための正面図。Ｂは図１１Ａに対応する平面図。
【符号の説明】
【００２７】
１０  布類取り付け部
１７、１８、１９、２１  拡げクランプ
２９  吸引部
３０  投入コンベア
３１、３２  整形体
３３、３４  移動機構
３８  移動部
３９、４０  位置切り換え手段
４３  駆動部
４５、４６  ベルト状部
５０  拡げベルト
５１  吸引穴
５３  ダンパー用ピストンシリンダー装置
５５  ダンパー
【図１】
2005312478.tif 000003
【図２】
2005312478.tif 000004
【図３】
2005312478.tif 000005
【図４】
2005312478.tif 000006
【図５】
2005312478.tif 000007
【図６】
2005312478.tif 000008
【図７】
2005312478.tif 000009
【図８】
2005312478.tif 000010
【図９】
2005312478.tif 000011
【図１０】
2005312478.tif 000012
【図１１】
2005312478.tif 000013